【手続補正書】
【提出日】平成27年7月1日(2015.7.1)
【手続補正１】
【補正対象書類名】特許請求の範囲
【補正対象項目名】全文
【補正方法】変更
【補正の内容】
【特許請求の範囲】
【請求項１】
レシートデータを取得するレシートデータ取得部と、
外部装置のアドレスを記憶するアドレス記憶部と、
前記レシートデータ取得部で取得されたレシートデータに基づいて、紙レシートの発行処理を行う紙レシート発行処理部と、
前記紙レシート発行処理部でレシートの発行処理が行われたとき、前記レシートデータをマークアップ言語として、前記外部装置のアドレスに出力する出力部と、を備えることを特徴とする印刷制御装置。
【請求項２】
前記レシートデータ取得部で取得された前記レシートデータに基づいて、電子レシートの発行処理を行う電子レシート発行処理部を更に備え、
前記出力部は、前記紙レシート発行処理部または前記電子レシート発行処理部でレシートの発行処理が行われたとき、前記レシートデータをマークアップ言語として、前記外部装置のアドレスに出力する請求項１に記載の印刷制御装置。
【請求項３】
前記レシートデータ取得部で取得された前記レシートデータが、前記マークアップ言語とは異なる言語で記述されている場合、
前記異なる言語で記述されたレシートデータを前記マークアップ言語で記述されたレシートデータに変換する言語変換部を備える請求項１または２に記載の印刷制御装置。
【請求項４】
顧客を特定する顧客ＩＤを取得する顧客ＩＤ取得部と、
前記異なる言語で記述されたレシートデータまたは前記マークアップ言語で記述されたレシートデータに、前記顧客ＩＤを付与する顧客ＩＤ付与部と、を備える請求項３に記載の印刷制御装置。
【請求項５】
前記レシートデータ取得部で取得されたレシートデータを解析し、当該レシートデータを特定するレシートＩＤを生成するレシートＩＤ生成部と、
前記レシートＩＤを、顧客に提供するレシートＩＤ提供部と、
前記異なる言語で記述されたレシートデータまたは前記マークアップ言語で記述されたレシートデータに、前記レシートＩＤを付与するレシートＩＤ付与部と、を備える請求項３に記載の印刷制御装置。
【請求項６】
前記紙レシートのフォーマットを示すスタイルシートを記憶するスタイルシート記憶部を備え、
前記紙レシート発行処理部は、前記マークアップ言語で記述されたレシートデータを前記スタイルシートに基づいて変換し、前記紙レシートの印刷データを生成する請求項１ないし５のいずれか１項に記載の印刷制御装置。
【請求項７】
レシートデータを取得するレシートデータ取得部と、
外部装置のアドレスを記憶するアドレス記憶部と、
前記レシートデータ取得部で取得されたレシートデータに基づいて、紙レシートの発行処理を行い、紙レシートの印刷データを生成する紙レシート発行処理部と、
前記紙レシート発行処理部でレシートの発行処理が行われたとき、前記レシートデータをマークアップ言語として、前記外部装置のアドレスに出力する出力部と、
前記紙レシート発行処理部で発行された前記印刷データを印刷媒体に印刷する印刷部と、を備えることを特徴とするプリンター。
【請求項８】
前記レシートデータ取得部で取得された前記レシートデータに基づいて、電子レシートの発行処理を行う電子レシート発行処理部を更に備え、
前記出力部は、前記紙レシート発行処理部または前記電子レシート発行処理部でレシートの発行処理が行われたとき、前記レシートデータをマークアップ言語として、前記外部装置のアドレスに出力する請求項７に記載のプリンター。
【請求項９】
前記レシートデータ取得部で取得された前記レシートデータが、前記マークアップ言語とは異なる言語で記述されている場合、
前記異なる言語で記述されたレシートデータを前記マークアップ言語で記述されたレシートデータに変換する言語変換部を備える請求項７または８に記載のプリンター。
【請求項１０】
顧客を特定する顧客ＩＤを取得する顧客ＩＤ取得部と、
前記異なる言語で記述されたレシートデータまたは前記マークアップ言語で記述されたレシートデータに、前記顧客ＩＤを付与する顧客ＩＤ付与部と、を備える請求項９に記載のプリンター。
【請求項１１】
前記レシートデータ取得部で取得されたレシートデータを解析し、当該レシートデータを特定するレシートＩＤを生成するレシートＩＤ生成部と、
前記レシートＩＤを、顧客に提供するレシートＩＤ提供部と、
前記異なる言語で記述されたレシートデータまたは前記マークアップ言語で記述されたレシートデータに、前記レシートＩＤを付与するレシートＩＤ付与部と、を備える請求項９に記載のプリンター。
【請求項１２】
前記紙レシートのフォーマットを示すスタイルシートを記憶するスタイルシート記憶部を備え、
前記紙レシート発行処理部は、前記マークアップ言語で記述されたレシートデータを前記スタイルシートに基づいて変換し、前記紙レシートの印刷データを生成する請求項７ないし１１のいずれか１項に記載のプリンター。
【請求項１３】
レシートデータを取得し、
取得された前記レシートデータに基づいて、紙レシートの発行処理を行い、
前記紙レシートの発行処理が行われたとき、前記レシートデータをマークアップ言語として、予め記憶されている外部装置のアドレスに出力することを特徴とする印刷制御装置の制御方法。
【請求項１４】
取得された前記レシートデータに基づいて、更に電子レシートの発行処理を行い、
前記紙レシートまたは前記電子レシートの発行処理が行われたとき、前記レシートデータをマークアップ言語として、予め記憶されている前記外部装置のアドレスに出力する請求項１３に記載の印刷制御装置の制御方法。
【請求項１５】
取得された前記レシートデータが、前記マークアップ言語とは異なる言語で記述されている場合、
前記異なる言語で記述されたレシートデータを前記マークアップ言語で記述されたレシートデータに変換する請求項１３または１４に記載の印刷制御装置の制御方法。
【請求項１６】
顧客を特定する顧客ＩＤを取得し、
前記異なる言語で記述されたレシートデータまたは前記マークアップ言語で記述されたレシートデータに、前記顧客ＩＤを付与する請求項１５に記載の印刷制御装置の制御方法。
【請求項１７】
取得された前記レシートデータを解析し、当該レシートデータを特定するレシートＩＤを生成し、
前記異なる言語で記述されたレシートデータまたは前記マークアップ言語で記述されたレシートデータに、前記レシートＩＤを付与する請求項１５に記載の印刷制御装置の制御方法。
【請求項１８】
前記紙レシートのフォーマットを示すスタイルシートを予め記憶しておき、
前記マークアップ言語で記述されたレシートデータを前記スタイルシートに基づいて変換し、前記紙レシートの印刷データを生成する請求項１３ないし１７のいずれか１項に記載の印刷制御装置の制御方法。
【手続補正２】
【補正対象書類名】明細書
【補正対象項目名】０００６
【補正方法】変更
【補正の内容】
【０００６】
本発明の印刷制御装置は、レシートデータを取得するレシートデータ取得部と、外部装置のアドレスを記憶するアドレス記憶部と、レシートデータ取得部で取得されたレシートデータに基づいて、紙レシートの発行処理を行う紙レシート発行処理部と、紙レシート発行処理部でレシートの発行処理が行われたとき、レシートデータをマークアップ言語として、外部装置のアドレスに出力する出力部と、を備えることを特徴とする。
上記の印刷制御装置において、レシートデータ取得部で取得されたレシートデータに基づいて、電子レシートの発行処理を行う電子レシート発行処理部を更に備え、出力部は、紙レシート発行処理部または電子レシート発行処理部でレシートの発行処理が行われたとき、レシートデータをマークアップ言語として、外部装置のアドレスに出力することを特徴とする。
上記の印刷制御装置において、レシートデータ取得部で取得されたレシートデータが、マークアップ言語とは異なる言語で記述されている場合、異なる言語で記述されたレシートデータをマークアップ言語で記述されたレシートデータに変換する言語変換部を備えることを特徴とする。
上記の印刷制御装置において、顧客を特定する顧客ＩＤを取得する顧客ＩＤ取得部と、異なる言語で記述されたレシートデータまたはマークアップ言語で記述されたレシートデータに、顧客ＩＤを付与する顧客ＩＤ付与部と、を備えることを特徴とする。
上記の印刷制御装置において、レシートデータ取得部で取得されたレシートデータを解析し、当該レシートデータを特定するレシートＩＤを生成するレシートＩＤ生成部と、レシートＩＤを、顧客に提供するレシートＩＤ提供部と、異なる言語で記述されたレシートデータまたはマークアップ言語で記述されたレシートデータに、レシートＩＤを付与するレシートＩＤ付与部と、を備えることを特徴とする。
上記の印刷制御装置において、紙レシートのフォーマットを示すスタイルシートを記憶するスタイルシート記憶部を備え、紙レシート発行処理部は、マークアップ言語で記述されたレシートデータをスタイルシートに基づいて変換し、紙レシートの印刷データを生成することを特徴とする。
本発明のプリンターは、レシートデータを取得するレシートデータ取得部と、外部装置のアドレスを記憶するアドレス記憶部と、レシートデータ取得部で取得されたレシートデータに基づいて、紙レシートの発行処理を行い、紙レシートの印刷データを生成する紙レシート発行処理部と、紙レシート発行処理部でレシートの発行処理が行われたとき、レシートデータをマークアップ言語として、外部装置のアドレスに出力する出力部と、紙レシート発行処理部で発行された印刷データを印刷媒体に印刷する印刷部と、を備えることを特徴とする。
上記のプリンターにおいて、レシートデータ取得部で取得されたレシートデータに基づいて、電子レシートの発行処理を行う電子レシート発行処理部を更に備え、出力部は、紙レシート発行処理部または電子レシート発行処理部でレシートの発行処理が行われたとき、レシートデータをマークアップ言語として、外部装置のアドレスに出力することを特徴とする。
上記の印刷制御装置において、前上記の印刷制御装置において、記レシートデータ取得部で取得されたレシートデータが、マークアップ言語とは異なる言語で記述されている場合、異なる言語で記述されたレシートデータをマークアップ言語で記述されたレシートデータに変換する言語変換部を備えることを特徴とする。
上記の印刷制御装置において、顧客を特定する顧客ＩＤを取得する顧客ＩＤ取得部と、異なる言語で記述されたレシートデータまたはマークアップ言語で記述されたレシートデータに、顧客ＩＤを付与する顧客ＩＤ付与部と、を備えることを特徴とする。
上記の印刷制御装置において、レシートデータ取得部で取得されたレシートデータを解析し、当該レシートデータを特定するレシートＩＤを生成するレシートＩＤ生成部と、レシートＩＤを、顧客に提供するレシートＩＤ提供部と、異なる言語で記述されたレシートデータまたはマークアップ言語で記述されたレシートデータに、レシートＩＤを付与するレシートＩＤ付与部と、を備えることを特徴とする。
上記の印刷制御装置において、紙レシートのフォーマットを示すスタイルシートを記憶するスタイルシート記憶部を備え、紙レシート発行処理部は、マークアップ言語で記述されたレシートデータをスタイルシートに基づいて変換し、紙レシートの印刷データを生成することを特徴とする。
本発明の印刷制御装置の制御方法は、レシートデータを取得し、取得されたレシートデータに基づいて、紙レシートの発行処理を行い、紙レシートの発行処理が行われたとき、レシートデータをマークアップ言語として、予め記憶されている外部装置のアドレスに出力することを特徴とする。
上記の印刷制御装置の制御方法において、取得されたレシートデータに基づいて、更に電子レシートの発行処理を行い、紙レシートまたは電子レシートの発行処理が行われたとき、レシートデータをマークアップ言語として、予め記憶されている外部装置のアドレスに出力することを特徴とする。
上記の印刷制御装置において、取得されたレシートデータが、マークアップ言語とは異なる言語で記述されている場合、異なる言語で記述されたレシートデータをマークアップ言語で記述されたレシートデータに変換することを特徴とする。
上記の印刷制御装置において、顧客を特定する顧客ＩＤを取得し、異なる言語で記述されたレシートデータまたはマークアップ言語で記述されたレシートデータに、顧客ＩＤを付与することを特徴とする。
上記の印刷制御装置において、取得されたレシートデータを解析し、当該レシートデータを特定するレシートＩＤを生成し、異なる言語で記述されたレシートデータまたはマークアップ言語で記述されたレシートデータに、レシートＩＤを付与することを特徴とする。
上記の印刷制御装置において、紙レシートのフォーマットを示すスタイルシートを予め記憶しておき、マークアップ言語で記述されたレシートデータをスタイルシートに基づいて変換し、紙レシートの印刷データを生成することを特徴とする。
なお、以下の構成としても良い。
本発明の印刷制御装置は、レシートデータを取得するレシートデータ取得部と、外部装置のアドレスを記憶するアドレス記憶部と、レシートデータ取得部で取得されたレシートデータに基づいて、紙レシートの発行処理を行う紙レシート発行処理部と、レシートデータ取得部で取得されたレシートデータに基づいて、電子レシートの発行処理を行う電子レシート発行処理部と、紙レシート発行処理部または電子レシート発行処理部でレシート発行処理が行われたとき、レシートデータをマークアップ言語として、外部装置のアドレスに出力する出力部と、を備えることを特徴とする。